(57)【要約】【課題】複数の鍵装置で錠側通信モードが変更されたことを共有できる電気錠制御システム、電気錠システム、及びプログラムを提供する。【解決手段】複数の鍵装置２（２Ａ，２Ｂ）は、第１の通信方式で無線通信を行う鍵側第１通信部２２と、第２の通信方式で無線通信を行う鍵側第２通信部２３と、鍵側制御部２１とをそれぞれ有する。電気錠制御装置１は、第１の通信方式で無線通信を行う錠側通信部１２と、電気錠３を制御する錠側制御部１１とを有する。通知元の鍵装置２の鍵側第１通信部２２が錠側通信部１２と通信して、錠側通信部１２の錠側通信モードの変更情報を取得すると、鍵側制御部２１が、鍵側第２通信部２３から通知先の鍵装置２に錠側通信モードの変更を通知するための通知情報を送信させる。【選択図】図１
2019031834.tif 000002
【特許請求の範囲】
【請求項１】
第１の通信方式で無線通信を行う鍵側第１通信部、第２の通信方式で無線通信を行う鍵側第２通信部、及び、前記鍵側第１通信部と前記鍵側第２通信部とを制御する鍵側制御部をそれぞれを有する複数の鍵装置と、
前記第１の通信方式で無線通信を行う錠側通信部、及び、前記錠側通信部が前記複数の鍵装置のいずれかから受信した情報に基づいて、建物の開口部を開閉する開閉部材を施錠又は解錠する電気錠を制御する錠側制御部、を有する電気錠制御装置と、を備え、
前記複数の鍵装置のうち、前記鍵側第１通信部が前記錠側通信部と通信して、前記錠側通信部が行う無線通信の錠側通信モードの変更情報を取得した鍵装置が通知元の鍵装置となり、
前記複数の鍵装置のうち前記通知元の鍵装置以外の鍵装置が通知先の鍵装置となり、
前記通知元の鍵装置の前記鍵側制御部が、前記鍵側第２通信部から前記通知先の鍵装置に前記錠側通信モードの変更を通知するための通知情報を前記鍵側第２通信部から送信させる
電気錠制御システム。
【請求項２】
前記通知元の鍵装置の前記鍵側制御部は、前記変更情報を取得すると、前記錠側通信モードの変更に応じて前記鍵側第１通信部が行う無線通信の鍵側通信モードを変更する
請求項１に記載の電気錠制御システム。
【請求項３】
前記通知元の鍵装置の前記鍵側制御部は、前記変更情報を取得すると、前記通知先の鍵装置において前記鍵側第１通信部が行う無線通信の鍵側通信モードを前記錠側通信モードに応じて変更させるための変更要求情報を、前記鍵側第２通信部から前記通知先の鍵装置に送信させる
請求項１又は２に記載の電気錠制御システム。
【請求項４】
前記複数の鍵装置のうち、前記第１の通信方式で無線通信を行う通信部を備えた専用鍵と通信可能な鍵装置の前記鍵側制御部は、前記電気錠制御装置で前記錠側通信モードが変更された場合、前記錠側通信モードの変更を通知するための情報を前記鍵側第１通信部から前記専用鍵に送信させる
請求項１〜３のいずれかに記載の電気錠制御システム。
【請求項５】
前記通知元の鍵装置の前記鍵側制御部は、前記鍵側第１通信部が前記錠側通信部と通信したときに前記錠側通信モードが変更されたと判断すると、前記鍵側第２通信部から前記通知先の鍵装置に前記通知情報を送信させる
請求項１〜４のいずれかに記載の電気錠制御システム。
【請求項６】
前記電気錠制御装置の電源が電池であり、
前記錠側制御部は、前記電池の残量に基づいて前記錠側通信モードを変更するか否かを判断する
請求項１〜５のいずれかに記載の電気錠制御システム。
【請求項７】
前記錠側通信モードの変更とは、前記錠側通信部が送信するアドバタイズ信号の送信周期を変更することである
請求項１〜６のいずれかに記載の電気錠制御システム。
【請求項８】
前記鍵側第１通信部は、無線信号を受信する受信処理を間欠的に行っており、
前記鍵側制御部は、前記錠側通信モードの変更に応じて、前記鍵側第１通信部が前記受信処理を行う受信期間を変更する
請求項７に記載の電気錠制御システム。
【請求項９】
前記錠側通信モードの変更とは、少なくともアドバタイズ信号の送信出力を変更前に比べて低下させることである
請求項１〜８のいずれかに記載の電気錠制御システム。
【請求項１０】
前記鍵側制御部は、前記鍵側第１通信部が受信した前記アドバタイズ信号の受信信号強度が所定のしきい値を超えると、前記錠側通信部との通信を開始し、
前記鍵側制御部は、前記錠側通信モードの変更に応じて、前記しきい値を変更前よりも低い値に変更する
請求項９に記載の電気錠制御システム。
【請求項１１】
前記通知元の鍵装置の前記鍵側第２通信部は、公衆網を介して前記通知先の鍵装置に前記通知情報を送信する
請求項１〜１０のいずれかに記載の電気錠制御システム。
【請求項１２】
請求項１〜１１のいずれかに記載の電気錠制御システムと、前記電気錠制御装置によって制御される電気錠と、を備える
電気錠システム。
【請求項１３】
コンピュータシステムを、請求項１〜１１のいずれかに記載の電気錠制御システムが備える前記複数の鍵装置の１つとして動作させるためのプログラムであって、
コンピュータシステムに、
前記電気錠制御装置と通信して、前記錠側通信モードの変更情報を取得する取得処理と、
前記通知先の鍵装置に前記錠側通信モードの変更を通知するための通知情報を送信する送信処理と、を実行させるための
プログラム。
【発明の詳細な説明】
【技術分野】
【０００１】
本開示は、電気錠制御システム、電気錠システム、及びプログラムに関し、特に、建物に設けられた開閉部材を施錠又は解錠する電気錠を制御するための電気錠制御システム、電気錠システム、及びプログラムに関する。
【背景技術】
【０００２】
従来、建物のドアの施錠及び解錠を行う電気錠システムがあった（例えば特許文献１参照）。特許文献１の電気錠システムは、ドアに設けられた主錠及び補助錠の施錠及び解錠を制御するコントローラを含む。コントローラは、電子鍵をオン状態にする起動信号を定期的に送信する。電子鍵は、起動信号を受信するとオン状態になり、コントローラへＩＤ情報を送信する。コントローラは、電子鍵からＩＤ情報を受信すると、ＩＤ情報を認証し、認証可の場合には施錠されていた主錠及び補助錠を解錠する。
【先行技術文献】
【特許文献】
【０００３】
【特許文献１】特開２０１６−２０６０６号公報
【発明の概要】
【発明が解決しようとする課題】
【０００４】
特許文献１に記載の電気錠システムでは、コントローラ（電気錠制御装置）において、電子鍵（鍵装置）と通信する通信モードが変更された場合、複数の電子鍵のそれぞれで通信モードを設定し直す必要があった。
【０００５】
本開示の目的は、複数の鍵装置で錠側通信モードが変更されたことを共有できる電気錠制御システム、電気錠システム、及びプログラムを提供することにある。
【課題を解決するための手段】
【０００６】
本開示の一態様の電気錠制御システムは、複数の鍵装置と、電気錠制御装置と、を備える。前記複数の鍵装置は、第１の通信方式で無線通信を行う鍵側第１通信部、第２の通信方式で無線通信を行う鍵側第２通信部、及び、鍵側第１通信部と鍵側第２通信部とを制御する鍵側制御部をそれぞれ有する。前記電気錠制御装置は、前記第１の通信方式で無線通信を行う錠側通信部、及び、前記錠側通信部が前記複数の鍵装置のいずれかから受信した情報に基づいて、建物の開口部を開閉する開閉部材を施錠又は解錠する電気錠を制御する錠側制御部、を有する。前記複数の鍵装置のうち、前記鍵側第１通信部が前記錠側通信部と通信して、前記錠側通信部が行う無線通信の錠側通信モードの変更情報を取得した鍵装置が通知元の鍵装置となる。前記複数の鍵装置のうち前記通知元の鍵装置以外の鍵装置が通知先の鍵装置となる。前記通知元の鍵装置の前記鍵側制御部が、前記鍵側第２通信部から前記通知先の鍵装置に前記錠側通信モードの変更を通知するための通知情報を前記鍵側第２通信部から送信させる。
【０００７】
本開示の一態様の電気錠システムは、前記電気錠制御システムと、前記電気錠制御装置によって制御される電気錠と、を備える。
【０００８】
本開示の一態様のプログラムは、コンピュータシステムを、前記電気錠制御システムが備える前記複数の鍵装置の１つとして動作させるためのプログラムである。前記プログラムは、コンピュータシステムに取得処理と送信処理とを実行させるためのプログラムである。取得処理では、前記電気錠制御装置と通信して、前記錠側通信モードの変更情報を取得する。送信処理では、前記通知先の鍵装置に前記錠側通信モードの変更を通知するための通知情報を送信する。
【発明の効果】
【０００９】
本開示によれば、複数の鍵装置で錠側通信モードが変更されたことを共有できる。
【図面の簡単な説明】
【００１０】
【図１】図１は、本開示の一実施形態の電気錠制御システムを有する電気錠システムのブロック図である。
【図２】図２は、同上の電気錠制御システムの使用例を説明する概略図である。
【図３】図３は、同上の電気錠制御システムのタイムチャートである。
【図４】図４Ａ、図４Ｂ、図４Ｃは、同上の電気錠制御システムが備える電気錠制御装置と鍵装置との間の通信状態を説明するタイムチャートである。
【図５】図５Ａ、図５Ｂは、本開示の一実施形態の変形例３に係る電気錠制御システムにおいて電気錠制御装置からの距離と鍵装置での受信信号強度（ＲＳＳＩ：Received Signal Strength Indicator）との関係を示すグラフである。
【発明を実施するための形態】
【００１１】
（１）概要
以下、本実施形態に係る電気錠制御システムを含む電気錠システムの概要について説明する。本実施形態に係る電気錠制御システム１０は、図１に示すように、電気錠制御装置１と、複数の鍵装置２（２Ａ，２Ｂ）とを含む。電気錠システム１００は、電気錠制御システム１０と、電気錠制御装置１によって制御される電気錠３とを含む。また、本実施形態の電気錠制御システム１０は、電気錠３の解錠又は施錠を操作するための専用の端末である専用鍵４を含む。尚、専用鍵４は電気錠制御システム１０に必須の構成ではなく、専用鍵４は適宜省略が可能である。
【００１２】
本実施形態に係る電気錠制御システム１０は電気錠３を制御するためのシステムである。電気錠３は開閉部材５（図２参照）を施錠又は解錠する。開閉部材５は、建物８の開口部８０を開閉する。開閉部材５は、建物８の内側と外側とを隔てる扉又は窓であって、例えば、玄関、勝手口等の扉（開き戸又は引き戸）、又は掃き出し窓等である。本実施形態では、開閉部材５は、玄関扉である。電気錠制御装置１及び電気錠３は、開閉部材５に設置されている。電気錠制御装置１は、鍵装置２と通信可能に構成されている。電気錠制御装置１は、鍵装置２との通信によって、開閉部材５を施錠する施錠状態と、開閉部材５を解錠する解錠状態との切り替えを電気的に行うように構成されている。
【００１３】
鍵装置２は、電気錠制御装置１との通信機能を有している。本実施形態では、電気錠制御装置１と鍵装置２との間の通信方式は、電波を媒体とする無線通信である。鍵装置２は、例えば電話機能を有する携帯電話端末である。本実施形態では、電気錠制御装置１、鍵装置２、及び専用鍵４は、いずれも電池駆動式である。本実施形態では、建物８が戸建て住宅である場合を例として説明する。電気錠制御システム１０のユーザ６（６Ａ，６Ｂ，６Ｃ）は、建物８の住人及びその関係者のうち、鍵装置２（２Ａ，２Ｂ）及び専用鍵４を所有する人である。
【００１４】
電気錠３は、電気錠制御装置１の錠側制御部１１（後述する）から出力される施錠信号又は解錠信号によって、電動で開閉部材５を施錠又は解錠する。すなわち、電気錠３は、錠側制御部１１からの施錠信号又は解錠信号によって、開閉部材５を施錠する施錠状態、又は開閉部材５を解錠する解錠状態に切り替えられる。
【００１５】
本実施形態に係る電気錠制御システム１０は、電気錠制御装置１が鍵装置２との間で行う無線通信の通信モードである錠側通信モードが変更されたことを複数の鍵装置２（２Ａ，２Ｂ）で共有できるよう、以下のように構成されている。
【００１６】
本実施形態に係る電気錠制御装置１は、図１に示すように、錠側制御部１１と、錠側通信部１２と、を備える。
【００１７】
錠側通信部１２は、例えば鍵装置２又は専用鍵４と第１の通信方式で無線通信を行う。
【００１８】
錠側制御部１１は、錠側通信部１２が複数の鍵装置２のいずれかから受信した情報に基づいて、開閉部材５（図２参照）を施錠又は解錠するように電気錠３を制御する。
【００１９】
本実施形態に係る鍵装置２（２Ａ，２Ｂ）は、図１に示すように、鍵側第１通信部２２と、鍵側第２通信部２３と、鍵側制御部２１と、を備える。
【００２０】
鍵側第１通信部２２は、例えば電気錠制御装置１又は専用鍵４と、錠側通信部１２と同じ第１の通信方式で無線通信を行う。
【００２１】
鍵側第２通信部２３は、例えば他の鍵装置２と、第２の通信方式で無線通信を行う。
【００２２】
鍵側制御部２１は、鍵側第１通信部２２と鍵側第２通信部２３とを制御する。
【００２３】
複数の鍵装置２（２Ａ，２Ｂ）のうち、電気錠制御装置１から変更情報を取得した鍵装置２が通知元の鍵装置（例えば鍵装置２Ａ）となる。変更情報は、電気錠制御装置１の錠側通信部１２が行う無線通信の錠側通信モードが変更されたことを示す情報である。通知元の鍵装置（例えば鍵装置２Ａ）は、錠側通信部１２と通信して、錠側通信モードの変更情報を取得する。複数の鍵装置２（２Ａ，２Ｂ）のうち通知元の鍵装置（例えば鍵装置２Ａ）以外の鍵装置（例えば鍵装置２Ｂ）が通知先の鍵装置となる。そして、通知元の鍵装置（例えば鍵装置２Ａ）の鍵側制御部２１が、鍵側第２通信部２３から通知先の鍵装置（例えば鍵装置２Ｂ）に錠側通信モードの変更を通知するための通知情報を送信させる。
【００２４】
ここにおいて、「錠側通信モード」とは、例えば、錠側通信部１２が定期的に送信する無線信号（例えば、電気錠制御装置１の存在を周囲に発信するためのアドバタイズ信号）の送信周期、送信出力等を設定する通信モードである。「錠側通信モードの変更情報」とは、例えば、錠側通信部１２が定期的に送信する無線信号の送信周期、送信出力等の変更内容を示す情報である。
【００２５】
このように、通知元の鍵装置２から通知先の鍵装置２へ通知情報が送信されるので、複数の鍵装置２（２Ａ，２Ｂ）で、電気錠制御装置１の錠側通信モードが変更されたという情報を共有できる。したがって、通知先の鍵装置２の鍵側制御部２１は、電気錠制御装置１と通信する前に錠側通信部１２の錠側通信モードが変更されたことを把握できる、という利点がある。
【００２６】
（２）詳細
以下、本実施形態に係る電気錠制御システム１０及び電気錠システム１００の構成（電気錠制御装置１、鍵装置２、電気錠３、専用鍵４）について説明する。
【００２７】
（２．１）電気錠制御装置
電気錠制御装置１は、図１に示すように、錠側制御部１１と、錠側通信部１２と、錠側記憶部１３と、錠側操作部１４と、電池１５と、を備えている。本実施形態の電気錠制御装置１では、錠側制御部１１、錠側通信部１２、錠側記憶部１３、錠側操作部１４、及び電池１５が１つのケースに収納されている。
【００２８】
錠側通信部１２は、例えば、アンテナと、通信回路と、を有し、電波を媒体とする無線通信を行う。錠側通信部１２は、例えばＢＬＥ（Bluetooth（登録商標） Low Energy）の規格に準拠した通信方式（第１の通信方式）で近距離無線通信を行うように構成されている。ここで、「ＢＬＥ」とは、無線ＰＡＮ（Personal Area Network）技術であるＢｌｕｅｔｏｏｔｈ（登録商標）の仕様における、低消費電力仕様の呼称である。尚、第１の通信方式は、ＢＬＥに限定されず、無線局の免許が不要な通信方式であれば、ＺｉｇＢｅｅ（登録商標）等の通信方式でもよい。
【００２９】
錠側通信部１２は、錠側制御部１１からの指令に従って、アドバタイズ信号（ビーコン信号）を間欠的に（例えば１秒間隔で）送信する。本実施形態では、錠側通信部１２は、錠側制御部１１からの指令に従って、電気錠制御装置１の存在を周囲に発信するためのアドバタイズ信号を送信する。また、錠側通信部１２は、アドバタイズ信号に応答して鍵装置２（２Ａ，２Ｂ）から送信される応答信号を受信する。つまり、錠側通信部１２は、無線信号の送信機能及び受信機能を有しており、鍵装置２との間で双方向の無線通信を行うように構成されている。
【００３０】
また、錠側通信部１２は、受信した無線信号（電波信号）Ｓｉｇ１の受信信号強度（ＲＳＳＩ）を計測する機能を有している。錠側通信部１２は、鍵装置２からの無線信号Ｓｉｇ１を受信すると、無線信号Ｓｉｇ１に含まれる鍵情報等の情報と、無線信号Ｓｉｇ１（受信信号）の受信信号強度（計測値）とを錠側制御部１１に出力する。
【００３１】
錠側記憶部１３は、例えばＥＥＰＲＯＭ（Electrically Erasable and Programmable Read-Only Memory）のような電気的に書き換え可能な不揮発性メモリを備える。錠側記憶部１３は、電気錠３の制御を許可された複数の鍵装置２及び専用鍵４の鍵情報を認証情報として記憶する。ここにおいて、鍵情報とは、電気錠制御装置１が電気錠３の制御を許可した鍵装置２及び専用鍵４に対して、電気錠制御装置１からそれぞれ付与された情報である。複数の鍵装置２及び専用鍵４には互いに異なる識別情報が予め割り当てられている。このため、錠側記憶部１３には、鍵装置２及び専用鍵４の識別情報と、鍵装置２及び専用鍵４にそれぞれ付与された鍵情報とが対応付けて記憶されている。また、錠側記憶部１３には、電気錠３の制御を許可された鍵装置２の連絡先の情報（例えばメールアドレス、ＩＰアドレス、電話番号等）が記憶されている。例えば、電気錠制御装置１が鍵装置２に電気錠の制御を許可して、鍵情報を鍵装置２に付与した際に、錠側制御部１１が、鍵装置２から取得した連絡先の情報を錠側記憶部１３に記憶させる。
【００３２】
錠側操作部１４は、ユーザ６（つまり、人）による操作入力を受け付ける機能を有している。錠側操作部１４は、例えば建物８の外側に露出するようにケースに設けられた解錠操作のための押釦スイッチを含む。尚、錠側操作部１４は、例えば開閉部材５（玄関扉）に備わっているドアハンドル（取っ手）に設けられてもよいし、ユーザ６がドアハンドルに触れる操作を検知するタッチセンサ等であってもよい。錠側操作部１４は、ユーザ６による操作入力を受け付けると、操作入力に応じた操作信号を錠側制御部１１に出力する。
【００３３】
錠側制御部１１は、電気錠３の制御を許可された鍵装置２又は専用鍵４からの情報に基づいて電気錠３を制御する施解錠処理、等を行う。錠側制御部１１は、例えば、プロセッサ及びメモリを有するマイクロコンピュータで構成されている。つまり、錠側制御部１１は、プロセッサ及びメモリを有するコンピュータシステムで実現されている。プロセッサが、例えばメモリ又は錠側記憶部１３に記録されたプログラムを実行することにより、コンピュータシステムによって錠側制御部１１の各種の機能が実現される。プログラムは、マイクロコンピュータのメモリ又は錠側記憶部１３に予め記録されていてもよいし、インターネット等の電気通信回線を通じて、又はメモリカード等の非一時的な記録媒体に記録されて提供されてもよい。
【００３４】
本実施形態では電気錠制御装置１が備える電気回路（錠側制御部１１、錠側通信部１２、錠側記憶部１３等）は電池１５を電源として動作する。電池１５は、一次電池でもよいし、充電が可能な二次電池でもよい。
【００３５】
（２．２）鍵装置
鍵装置２は、例えばスマートフォンのような携帯端末である。鍵装置２は、図１に示すように、鍵側制御部２１と、鍵側第１通信部２２と、鍵側第２通信部２３と、鍵側記憶部２４と、表示部２５と、鍵側操作部２６と、を備えている。
【００３６】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが鍵装置２用のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。
【００３７】
鍵側第１通信部２２は、例えば、アンテナと、通信回路と、を有している。鍵側第１通信部２２は、電気錠制御装置１又は専用鍵４との間で、例えばＢＬＥの規格に準拠した通信方式（第１の通信方式）で近距離無線通信を行うように構成されている。鍵側第１通信部２２は、例えば、錠側通信部１２から送信されるアドバタイズ信号を受信する。また、鍵側第１通信部２２は、アドバタイズ信号を受信すると、受信したアドバタイズ信号に対する応答信号を電気錠制御システム１０に送信する。つまり、鍵側第１通信部２２は、信号の送信機能及び受信機能を有しており、錠側通信部１２との間で双方向の通信を行うように構成されている。
【００３８】
鍵側第２通信部２３は、例えば、アンテナと、通信回路と、を有している。鍵側第２通信部２３は、例えば第３世代移動通信システム、第４世代移動通信システム、ＬＴＥ（Long Term Evolution）等の通信方式（第２の通信方式）で電波を媒体とした無線通信を行う。鍵側第２通信部２３は、公衆網６０に接続された基地局５１，５２との間で無線通信を行い、公衆網６０を介してサーバ７０と通信することができる。このように、第２の通信方式で無線通信を行う鍵側第２通信部２３は、公衆網６０に接続され、公衆網６０を介して他の鍵装置２と通信するので、鍵側第１通信部２２の通信範囲よりも広範囲の通信が可能である。
【００３９】
鍵側記憶部２４は、例えばＥＥＰＲＯＭのような電気的に書き換え可能な不揮発性メモリを備える。鍵側記憶部２４は、鍵装置２に割り当てられた個別の識別情報、及び電気錠制御装置１から付与された鍵情報、電気錠制御装置１の現在の錠側通信モード、等を記憶する。また、鍵側記憶部２４には、電気錠制御装置１によって電気錠３の制御を許可された全ての鍵装置２の連絡先の情報（例えばメールアドレス、ＩＰアドレス、電話番号等）が記憶されている。鍵側制御部２１は、例えば鍵装置２が電気錠制御装置１に登録されたときに、電気錠制御装置１から連絡先の情報を取得して鍵側記憶部２４に記憶させる。また、鍵側記憶部２４に記憶された連絡先の情報は、鍵装置２が電気錠制御装置１と通信する際に、電気錠制御装置１から受信した最新の情報に適宜更新される。また、鍵側記憶部２４には、鍵装置２のコンピュータが実行する鍵装置２用のプログラムが記憶されている。このプログラムは、予めメモリに記憶されていてもよいし、インターネット等の電気通信回線を通じて、又はメモリカード等の非一時的な記録媒体に記録されて提供されてもよい。本実施形態のように、鍵装置２がスマートフォンであれば、鍵側記憶部２４には、ユーザ６が任意にインストールしたアプリケーションが記憶されていてもよい。
【００４０】
表示部２５は、例えば液晶ディスプレイ、有機ＥＬ（Electro Luminescence）ディスプレイ等の薄型ディスプレイ装置である。表示部２５は、鍵側制御部２１によって表示内容が制御される。
【００４１】
鍵側操作部２６は、ユーザ６による操作入力を受け付ける機能を有している。鍵側操作部２６は、例えば鍵装置２のケースに設けられた押釦スイッチで構成されていてもよいし、鍵装置２のケースに設けられたレバーで構成されていてもよい。本実施形態では、鍵側操作部２６は、表示部２５を構成するディスプレイ装置に設けられたタッチパネルを有している。タッチパネルは、静電容量方式、感圧式等のタッチセンサを有する。ユーザ６が表示部２５のディスプレイ装置に触れる操作（タップ操作、スワイプ操作等）を行うと、鍵側操作部２６は、操作に応じた信号を鍵側制御部２１に出力する。
【００４２】
（２．３）専用鍵
専用鍵４は、例えばアクティブ型のＲＦＩＤ（Radio Frequency IDentification System）タグからなり、電気錠３の鍵として用いられる携帯端末である。専用鍵４は、図１に示すように、制御部４１と、通信部４２と、操作部４３と、を備える。
【００４３】
制御部４１は、例えば、プロセッサ及びメモリを有するマイクロコンピュータで構成されている。つまり、制御部４１は、プロセッサ及びメモリを有するコンピュータシステムで実現されている。そして、プロセッサが適宜のプログラムを実行することにより、コンピュータシステムが制御部４１として機能する。プログラムは、メモリに予め記録されていてもよいし、インターネット等の電気通信回線を通じて、又はメモリカード等の非一時的な記録媒体に記録されて提供されてもよい。
【００４４】
通信部４２は、例えば、アンテナと、通信回路と、を有している。通信部４２は、電気錠制御装置１又は鍵装置２との間で、例えばＢＬＥの規格に準拠した第１の通信方式で近距離無線通信を行うように構成されている。通信部４２は、例えば、錠側通信部１２から送信されるアドバタイズ信号を受信する。また、通信部４２は、アドバタイズ信号を受信すると、受信したアドバタイズ信号に対する応答信号を電気錠制御装置１に送信する。つまり、通信部４２は、信号の送信機能及び受信機能を有しており、錠側通信部１２との間で双方向の通信を行うように構成されている。
【００４５】
操作部４３は、ユーザ６（つまり、人）による操作入力を受け付ける機能を有している。操作部４３は、例えば押釦スイッチを含み、ユーザ６による押釦スイッチの操作入力を受け付けると、操作入力に応じた操作信号を制御部４１に出力する。
【００４６】
（２．４）電気錠
電気錠３は、開閉部材５（ここでは、玄関扉）を解錠及び施錠する。電気錠３は、デッドボルトと、駆動部と、駆動回路と、を有している。駆動回路は、錠側制御部１１から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。つまり、開閉部材５が施錠された状態となる。デッドボルトが解錠位置に移動した状態では、デッドボルトの全体がボルト穴の外に出ており、この状態では開閉部材５の開閉が可能になる。つまり、開閉部材５が解錠された状態となる。
【００４７】
（３）動作
以下、電気錠制御装置１及び鍵装置２の動作について説明する。
【００４８】
ここでは、電気錠制御装置１が、ユーザ６Ａ，６Ｂが携帯する２つの鍵装置２Ａ，２Ｂと、ユーザ６Ｃが携帯する専用鍵４とに鍵情報を付与している場合を想定する。
【００４９】
まず、ユーザ６Ａが帰宅する際に鍵装置２Ａを用いて電気錠３を解錠する場合の動作を説明する（図２参照）。この時、鍵装置２Ｂを携帯するユーザ６Ｂと、専用鍵４を携帯するユーザ６Ｃは、錠側通信部１２から送信される無線信号が届かない場所にいるものとする。
【００５０】
電気錠制御装置１の錠側制御部１１は、電池１５の残量を定期的に監視しており、電池１５の残量が所定の判定値以上であれば、錠側通信部１２の錠側通信モードを定常時の第１通信モードに設定する。第１通信モードでは、錠側制御部１１は、周囲に存在する鍵装置２を起動させるためのアドバタイズ信号を所定の時間間隔ｔ１（例えば１秒間隔）で錠側通信部１２から送信させる（図４Ａ参照）。
【００５１】
鍵装置２Ａを携帯したユーザ６Ａが宅外において建物８の開口部８０に近づく向きに移動すると、鍵装置２の鍵側第１通信部２２によって電気錠制御装置１から送信されたアドバタイズ信号が受信される。
【００５２】
ここで、鍵側制御部２１は、図４Ａに示すように、無線信号を受信する受信処理を鍵側第１通信部２２に間欠的に行わせている。すなわち、鍵側制御部２１は、所定の周期Ｔ１（例えば５秒）ごとに、アドバタイズ信号の送信周期ｔ１よりも長い所定の受信期間Ｔ１０（例えば２秒）を設けており、受信処理を行う受信期間Ｔ１０と受信処理を行わない休止期間とを交互に設けている。受信期間Ｔ１０は、第１通信モードでのアドバタイズ信号の送信周期ｔ１よりも長い時間に設定されているので、受信期間Ｔ１０において鍵側第１通信部２２がアドバタイズ信号を受信できる可能性が高い。したがって、鍵装置２は、周期Ｔ１が経過するまでの間にアドバタイズ信号を受信することができる。
【００５３】
鍵側第１通信部２２がアドバタイズ信号を受信すると、鍵側制御部２１は、電気錠３を制御するためのアプリケーション（プログラム）を起動し、表示部２５に電気錠３を制御するための操作画面を表示させる。ユーザ６Ａが操作画面において電気錠３を解錠する操作を行うと、鍵側制御部２１は鍵側第１通信部２２から電気錠制御装置１に接続要求を送信させる。電気錠制御装置１の錠側制御部１１は、錠側通信部１２が鍵装置２Ａからの接続要求を受信すると、錠側通信部１２から鍵装置２Ａに接続応答を送信し、錠側通信部１２が鍵装置２Ａと接続された状態となる。ここで、鍵側第１通信部２２が錠側通信部１２に接続されるとは、鍵側第１通信部２２が錠側通信部１２と第１の通信方式で通信可能な状態になることをいう。
【００５４】
鍵側制御部２１は、鍵側第１通信部２２が錠側通信部１２に接続されると、鍵情報と電気錠３の解錠を要求する解錠制御情報とを含む無線信号を鍵側第１通信部２２から錠側通信部１２に送信させる。
【００５５】
電気錠制御装置１の錠側制御部１１は、鍵装置２Ａから送信された鍵情報と解錠制御情報とを錠側通信部１２が受信すると、鍵情報を錠側記憶部１３が記憶する認証情報と照合することにより、鍵装置２Ａの認証を行う。そして、鍵装置２Ａの認証が成功し、かつ、錠側通信部１２が受信した受信信号の受信信号強度が所定の下限値以上であれば、錠側制御部１１は、電気錠３に解錠信号を出力して電気錠３を解錠させる。ここにおいて、錠側制御部１１は、鍵装置２Ａの認証が成功しても、受信信号強度が下限値未満であれば、電気錠３を解錠させる制御を行わない。つまり、電気錠制御装置１の近くに鍵装置２Ａが存在しなければ、錠側制御部１１は電気錠３を解錠させる制御を行わないので、第三者が建物８に入る可能性が低下し、安全性が向上する。
【００５６】
電気錠３が解錠すると、ユーザ６Ａは開閉部材５を開けて建物８０の内部に入ることができる。錠側制御部１１は、電気錠３を解錠すると、例えば一定の解錠時間が経過した時点で、電気錠３に施錠信号を出力して、電気錠３を施錠する。
【００５７】
尚、専用鍵４を用いて電気錠３を解錠又は施錠する場合は、専用鍵４を携帯するユーザ６Ｃが、専用鍵４と電気錠制御装置１とが通信可能な範囲に移動して、専用鍵４の操作部４３を操作する。このとき、制御部４１は鍵情報と解錠制御情報とを通信部４２から電気錠制御装置１に送信させる。専用鍵４から送信された鍵情報及び解錠制御情報を錠側通信部１２が受信すると、錠側制御部１１が鍵情報を錠側記憶部１３が記憶する認証情報と照合することによって、専用鍵４の認証を行う。そして、専用鍵４の認証が成功し、かつ、錠側通信部１２が受信した受信信号の受信信号強度が所定の下限値以上であれば、錠側制御部１１は、電気錠３に解錠信号を出力して電気錠３を解錠させる。これにより、専用鍵４を用いて電気錠３の解錠を行うことができる。
【００５８】
次に、電気錠制御装置１の錠側通信モードが第２通信モードに変更された場合の動作を図３に基づいて説明する。
【００５９】
電気錠制御装置１の錠側制御部１１は、電池１５の残量を定期的に監視しており、電池１５の残量が判定値を下回ると、錠側通信モードを第１通信モードから第２通信モードに変更する（Ｓ１）。第２通信モードでは、錠側制御部１１は、第１通信モードでの送信周期ｔ１よりも長い送信周期ｔ２でアドバタイズ信号を錠側通信部１２から送信させる（図４Ｂ，図４Ｃ参照）。本実施形態では、第２通信モードにおいてアドバタイズ信号が送信される送信周期ｔ２は、鍵装置２での受信期間Ｔ１０よりも長い時間に設定されている。第２通信モードは、第１通信モードに比べて消費電力が低下するような通信モードであり、電池１５の残量が判定値を下回った場合には錠側通信モードを第２通信モードに設定することで、電池１５の消耗を抑制できる。
【００６０】
その後、鍵装置２Ａを携帯したユーザ６Ａが電気錠制御装置１に近付くと、鍵装置２Ａの鍵側第１通信部２２によって、電気錠制御装置１から送信されるアドバタイズ信号が受信される（Ｓ２）。ここで、鍵装置２Ａの鍵側制御部２１は、錠側通信モードが変更されたことを把握しておらず、図４Ａに示すように周期Ｔ１ごとに受信期間Ｔ１０を設け、受信期間Ｔ１０の間にアドバタイズ信号の受信待ちを行っている。受信期間Ｔ１０はアドバタイズ信号の送信周期ｔ２よりも短いため、１回の周期Ｔ１ではアドバタイズ信号を受信できない可能性が高いが、受信期間Ｔ１０を複数回繰り返す間に鍵側第１通信部２２はアドバタイズ信号を受信できる。
【００６１】
そして、鍵側第１通信部２２がアドバタイズ信号を受信すると、鍵側制御部２１は、電気錠３を制御するためのアプリケーション（プログラム）を起動し、表示部２５に電気錠３を制御するための操作画面を表示させる。ユーザ６Ａが操作画面において電気錠３を解錠する操作を行うと、鍵側制御部２１は鍵側第１通信部２２から電気錠制御装置１に接続要求を送信させる（Ｓ３）。電気錠制御装置１の錠側制御部１１は、錠側通信部１２が鍵装置２Ａからの接続要求を受信すると、錠側通信部１２から鍵装置２Ａに接続応答を送信し（Ｓ４）、鍵装置２Ａと接続された状態となる。
【００６２】
鍵側制御部２１は、鍵側第１通信部２２が錠側通信部１２に接続されると、鍵情報と電気錠３の解錠を要求する解錠制御情報とを含む無線信号を鍵側第１通信部２２から錠側通信部１２に送信させる（Ｓ５）。
【００６３】
電気錠制御装置１の錠側制御部１１は、鍵装置２Ａから送信された鍵情報と解錠制御情報とを錠側通信部１２が受信すると、鍵情報を錠側記憶部１３が記憶する認証情報と照合することによって、鍵装置２Ａの認証を行う。そして、鍵装置２Ａの認証が成功し、かつ、錠側通信部１２が受信した受信信号の受信信号強度が所定の下限値以上であれば、錠側制御部１１は、電気錠３に解錠信号を出力して電気錠３を解錠させる。錠側制御部１１は、電気錠３を解錠すると、錠側通信部１２から鍵装置２Ａに応答信号を送信する（Ｓ６）。
【００６４】
鍵装置２Ａの鍵側制御部２１は、鍵側第１通信部２２が電気錠制御装置１から応答信号を受信すると、電気錠３の施解錠状態と現在の錠側通信モードの設定状態を要求する状態要求信号を含む無線信号を鍵側第１通信部２２から錠側通信部１２に送信させる（Ｓ７）。電気錠制御装置１の錠側制御部１１は、鍵側第１通信部２２が鍵装置２Ａから状態要求信号を受信すると、電気錠３の施解錠状態と、現在の錠側通信モードの設定状態（この場合は第２通信モード）とを含む無線信号を、錠側通信部１２から鍵装置２Ａに送信させる（Ｓ８）。
【００６５】
鍵装置２Ａの鍵側制御部２１は、鍵側第１通信部２２が電気錠制御装置１から施解錠状態と現在の錠側通信モードの設定状態とを含む無線信号を受信すると、現在の錠側通信モードを鍵側記憶部２４に記憶された錠側通信モード（例えば第１通信モード）と比較する。現在の錠側通信モードと鍵側記憶部２４に記憶された錠側通信モードとが異なっていれば、鍵側制御部２１は、錠側通信モードが変更されたと判断し、現在の錠側通信モードを鍵側記憶部２４に記憶する。ここにおいて、鍵側制御部２１は、電気錠制御装置１から受信した現在の錠側通信モードに基づき、現在の錠側通信モードと、鍵側記憶部２４に記憶された錠側通信モードとを比較することで、錠側通信モードの変更情報を取得している。
【００６６】
また、鍵側制御部２１は、錠側通信モードが変更されたと判断すると、錠側通信モードの変更を通知するための通知情報、つまり錠側通信モードが第２通信モードに変更されたことを示す通知情報を鍵側第２通信部２３から通知先の鍵装置２Ｂに送信させる（Ｓ９）。ここで、鍵装置２Ａの鍵側第２通信部２３からサーバ７０に鍵装置２Ｂ宛ての通知情報が送信されると、サーバ７０が鍵装置２Ａから受信した通知情報を鍵装置２Ｂに送信するプッシュ通知を行う。これにより、複数の鍵装置２（２Ａ，２Ｂ）で、電気錠制御装置１の錠側通信モードが変更されたという情報を共有できる。また、鍵側第１通信部２２に比べて広範囲の通信が可能な鍵側第２通信部２３が通知情報を送信するので、鍵側第１通信部２２の通信範囲に比べて広に範囲にいる通知先の鍵装置２に対して通知情報を送信できる。尚、本実施形態では、通知元の鍵装置２Ａはサーバ７０を経由して通知先の鍵装置２Ｂに通知情報を送信しているが、通知元の鍵装置２Ａが通知先の鍵装置２Ｂに直接通信することが可能であれば、通知元の鍵装置２Ａが通知先の鍵装置２Ｂに通知情報を直接送信してもよい。
【００６７】
鍵装置２Ａの鍵側制御部２１は、錠側通信モードが第１通信モードから第２通信モードに変更されたと判断すると、鍵側第１通信部２２の鍵側通信モードを錠側通信モードに応じて変更する（Ｓ１０）。これにより、通知元の鍵装置２Ａを携帯するユーザ６の操作を必要とせず、鍵装置２Ａの鍵側制御部２１は、鍵側第１通信部２２の鍵側通信モードを自動的に変更することができる。
【００６８】
また、通知先の鍵装置２Ｂの鍵側制御部２１は、鍵側第２通信部２３が鍵装置２Ａからの通知情報をサーバ７０経由で受信すると、鍵側第１通信部２２の鍵側通信モードを錠側通信モードに応じて変更する（Ｓ１１）。換言すると、通知元の鍵装置２Ａから通知先の鍵装置２Ｂに送信される通知情報は、通知先の鍵装置２Ｂにおいて鍵側通信モードを錠側通信モードに応じて変更させるための変更要求情報となる。したがって、通知先の鍵装置２Ｂの鍵側制御部２１は、鍵側第２通信部２３が鍵装置２Ａからの通知情報（変更要求情報）を受信すると、鍵側通信モードを錠側通信モードに応じて変更する。これにより、通知先の鍵装置２Ｂを携帯するユーザ６の操作を必要とせず、鍵装置２Ｂの鍵側制御部２１は、鍵側第１通信部２２の鍵側通信モードを自動的に変更することができる。
【００６９】
これにより、複数の鍵装置２Ａ，２Ｂで、電気錠制御装置１の錠側通信モードが変更されたという情報を共有できる。また、通知先の鍵装置２Ｂでは、電気錠制御装置１と通信する前に、鍵側第１通信部２２の鍵側通信モードを錠側通信モードの変更に応じて変更することができる。
【００７０】
ここで、錠側通信モードが第１通信モードから第２通信モードに変更された場合、鍵装置２Ａ，２Ｂの鍵側制御部２１は、例えば図４Ｂに示すように、周期Ｔ１を変更せず鍵側第１通信部２２の受信期間を受信期間Ｔ１０から受信期間Ｔ１０Ａに長くする。換言すれば、鍵側制御部２１は、周期Ｔ１に対する受信期間の割合（デューティ比）を大きくする。これにより、受信処理を行わない休止期間が短くなるから、アドバタイズ信号を受信できるまでの時間が短くなり、鍵装置２Ａ，２Ｂが電気錠制御装置１に接続されるまでの時間が短くなる。よって、電気錠３の制御が行われるまでの時間が短くなり、電気錠制御システム１０の使用性が向上する。この場合、周期Ｔ１に対する受信期間の割合（デューティ比）が大きくなるので、鍵装置２Ａ，２Ｂでの消費電力は増加するが、電気錠制御装置１での消費電力を低減しつつ、電気錠制御システム１０の使用性が損なわれる事態を回避できる。
【００７１】
また、鍵装置２Ａ，２Ｂの鍵側制御部２１は、図４Ｃに示すように、周期Ｔ１に対する受信期間の割合（デューティ比）は変えずに、受信期間を繰り返す周期を周期Ｔ１から周期Ｔ１Ｂに長くしてもよい。受信期間を繰り返す周期を周期Ｔ１から周期Ｔ１Ｂに長くすると、受信期間は受信期間Ｔ１０から受信期間Ｔ１０Ｂに長くなる。受信期間Ｔ１０Ｂがアドバタイズ信号の送信周期ｔ２よりも長い時間に設定されていれば、周期Ｔ１Ｂが経過する間に、鍵側第１通信部２２がアドバタイズ信号を受信できる確率が高くなる。また、第１通信モードと第２通信モードとで、周期Ｔ１に対する受信期間の割合（デューティ比）が変わらないので、鍵装置２Ａ，２Ｂでの消費電力が増加することもない。
【００７２】
また、図２に示すように、通知先の鍵装置２Ｂの鍵側第１通信部２２と通信可能な範囲に専用鍵４が存在する場合、鍵装置２Ｂの鍵側制御部２１は、錠側通信モードが変更されたことを示す情報を鍵側第１通信部２２から専用鍵４に送信する。鍵装置２Ｂの鍵側記憶部２４には、電気錠制御装置１に登録された専用鍵４の識別情報が記憶されている。したがって、鍵装置２Ｂの鍵側制御部２１は、鍵側記憶部２４に記憶された専用鍵４の識別情報をもとに、電気錠制御装置１に登録された専用鍵４に対して錠側通信モードの変更を示す情報を送信すればよい。これにより、通知元の鍵装置２Ａからの通知情報を直接受信できない専用鍵４も、錠側通信モードが変更されたという情報を共有できる。そして、専用鍵４の制御部４１は、錠側通信モードの変更に応じて通信部４２の通信モードを変更することができる。
【００７３】
尚、通知元の鍵装置２Ａにおいても鍵側第１通信部２２と通信可能な範囲に専用鍵４が存在する場合、鍵装置２Ａの鍵側制御部２１は、錠側通信モードが変更されたことを示す情報を鍵側第１通信部２２から専用鍵４に送信すればよい。換言すれば、複数の鍵装置２のうち専用鍵４と通信可能な鍵装置２の鍵側制御部２１は、錠側通信モードが変更されたことを示す情報を鍵側第１通信部２２から専用鍵４に送信すればよい。
【００７４】
また、電気錠制御装置１の錠側制御部１１は、錠側通信モードを第１通信モードから第２通信モードに変更した後に、電池１５が交換されるなどして電池１５の残量が判定値以上になると、錠側通信モードを第２通信モードから第１通信モードに変更する。
【００７５】
その後、電気錠制御装置１と通信した鍵装置２が電気錠制御装置１から現在の錠側通信モードの設定情報（第１通信モード）を受信すると、鍵側制御部２１は、現在の錠側通信モードと鍵側記憶部２４に記憶された錠側通信モード（第２通信モード）とを比較する。鍵側制御部２１は、錠側通信モードが変更されたと判断すると、錠側通信モードの変更を通知するための通知情報を鍵側第２通信部２３から通知先の鍵装置２に送信させる。これにより、複数の鍵装置２の間で、錠側通信モードが第２通信モードから第１通信モードに変更されたという情報を共有することができる。また、複数の鍵装置２は、錠側通信モードの変更に応じて、鍵側通信モードを変更することができる。
【００７６】
（４）変形例
上述の実施形態は、本開示の様々な実施形態の一つに過ぎない。上述の実施形態は、本開示の目的を達成できれば、設計等に応じて種々の変更が可能である。
【００７７】
鍵装置２と同様の機能は、鍵装置２用のプログラム（コンピュータプログラム）、又は鍵装置２用のプログラムを記録した非一時的な記録媒体等で具現化されてもよい。
【００７８】
一態様に係る鍵装置２用のプログラムは、コンピュータシステムを、電気錠制御システム１０が備える複数の鍵装置２の１つとして動作させるためのプログラムである。このプログラムは、コンピュータシステムに取得処理と送信処理とを実行させるためのプログラムである。取得処理（図３のステップＳ７，Ｓ８）では、電気錠制御装置１と通信して、錠側通信モードの変更情報を取得する。送信処理（図３のステップＳ９）では、通知先の鍵装置２に錠側通信モードの変更を通知するための通知情報を送信する。
【００７９】
以下、上述の実施形態の変形例を列挙する。以下に説明する変形例は、適宜組み合わせて適用可能である。
【００８０】
（４．１）変形例１
上記の実施形態では、通知元の鍵装置２が、電気錠制御装置１から受信した情報（現在の錠側通信モードの設定情報）に基づいて錠側通信モードの変更情報を取得しているが、電気錠制御装置１が錠側通信モードの変更情報を鍵装置２に送信してもよい。
【００８１】
電気錠制御装置１の錠側制御部１１が、錠側通信部１２の錠側通信モードを変更すると、変更後に初めて通信する鍵装置２に対して、錠側通信モードを変更したことを示す変更情報を送信する。鍵装置２の鍵側制御部２１は、鍵側第１通信部２２が変更情報を受信すると、錠側通信モードが変更されたことを通知する通知情報を鍵側第２通信部２３から通知先の鍵装置２に送信する。これにより、複数の鍵装置２で、錠側通信モードが変更されたという情報を共有することができる。
【００８２】
（４．２）変形例２
上記の実施形態では、通知元の鍵装置２が、錠側通信モードの変更情報を取得すると、錠側通信モードの変更に応じて、鍵側第１通信部２２の鍵側通信モードを自動的に変更しているが、錠側通信モードの変更をユーザに通知するのみでもよい。
【００８３】
すなわち、通知元の鍵装置２の鍵側制御部２１は、錠側通信モードの変更情報を取得すると、錠側通信モードの変更を表示する表示画面を表示部２５に表示させる。また、通知元の鍵装置２の鍵側制御部２１は、錠側通信モードの変更情報を取得すると錠側通信モードの変更を報知する報知音又は音声メッセージをスピーカから出力してもよい。このように、通知元の鍵装置２を携帯するユーザ６に、錠側通信モードの変更情報を通知することで、ユーザ６に対して鍵側通信モードの変更を促すことができる。
【００８４】
通知元の鍵装置２を携帯するユーザ６が、表示部２５の表示画面などに基づいて鍵側通信モードの変更を判断すると、鍵側操作部２６を用いて鍵側通信モードを変更するための操作を行う。そして、鍵側制御部２１が、鍵側操作部２６から入力される操作信号に応じて鍵側第１通信部２２の鍵側通信モードを錠側通信モードの変更に応じて変更する。これにより、通知元の鍵装置２を携帯するユーザ６が、鍵側通信モードの変更を判断できる。
【００８５】
また、上記の実施形態では、通知先の鍵装置２が、錠側通信モードの変更を通知する通知情報を受信すると、錠側通信モードの変更に応じて鍵側第１通信部２２の鍵側通信モードを自動的に変更しているが、錠側通信モードの変更をユーザに通知するのみでもよい。
【００８６】
すなわち、通知先の鍵装置２の鍵側制御部２１は、鍵側第２通信部２３が通知元の鍵装置２から通知情報を受信すると、錠側通信モードの変更を表示する表示画面を表示部２５に表示させる。また、通知先の鍵装置２の鍵側制御部２１は、鍵側第２通信部２３が通知元の鍵装置２から通知情報を受信すると、錠側通信モードの変更を報知する報知音又は音声メッセージをスピーカから出力してもよい。このように、通知先の鍵装置２を携帯するユーザ６に、錠側通信モードの変更情報を通知することで、ユーザ６に対して鍵側通信モードの変更を促すことができる。
【００８７】
通知先の鍵装置２を携帯するユーザ６が、表示部２５の表示画面などに基づいて鍵側通信モードの変更を判断すると、鍵側操作部２６を用いて鍵側通信モードを変更するための操作を行う。そして、鍵側制御部２１が、鍵側操作部２６から入力される操作信号に応じて鍵側第１通信部２２の鍵側通信モードを錠側通信モードの変更に応じて変更する。これにより、通知先の鍵装置２を携帯するユーザ６が、鍵側通信モードの変更を判断できる。
【００８８】
（４．３）変形例３
上記の実施形態では、電気錠制御装置１の錠側制御部１１は、アドバタイズ信号の送信周期を変更することで錠側通信モードを変更しているが、少なくともアドバタイズの送信出力を変更することで錠側通信モードを変更してもよい。
【００８９】
錠側制御部１１は、電池１５の残量を監視しており、電池１５の残量が判定値を下回ると、少なくともアドバタイズ信号の送信出力値（送信電力値）を変更する。具体的には、錠側制御部１１は、電池１５の残量が判定値を下回ると、少なくともアドバタイズ信号の送信出力を定常時の第１出力値から所定の第２出力値に低下させる。
【００９０】
図５Ａは、アドバタイズ信号の送信出力値が第１出力値に設定された場合に、電気錠制御装置１からの距離とアドバタイズ信号の受信信号強度（ＲＳＳＩ）との関係を示すグラフである。図５Ｂは、アドバタイズ信号の送信出力値が第２出力値に設定された場合に、電気錠制御装置１からの距離とアドバタイズ信号の受信信号強度（ＲＳＳＩ）との関係を示すグラフである。図５Ａ、図５Ｂから明らかなように、電気錠制御装置１からの距離が長くなるにつれて受信信号強度は徐々に低下する。また、電気錠制御装置１からの距離が同じであれば、アドバタイズ信号の送信出力値が第１出力値に設定された場合に比べて、アドバタイズ信号の送信出力値が第２出力値に設定された場合の方が、アドバタイズ信号の受信信号強度（ＲＳＳＩ）は小さくなる。
【００９１】
変形例３では、鍵装置２の鍵側制御部２１は、鍵側第１通信部２２がアドバタイズ信号を受信した場合に、アドバタイズ信号の受信信号強度がしきい値（Ｒ１又はＲ２）を超えると、電気錠制御装置１に接続する処理を行うように構成されている。また、鍵装置２の鍵側制御部２１は、鍵側第１通信部２２がアドバタイズ信号を受信した場合に、アドバタイズ信号の受信信号強度がしきい値（Ｒ１又はＲ２）以下であれば、電気錠制御装置１に接続する処理を行わないように構成されている。
【００９２】
電気錠制御装置１の錠側通信モードが第１通信モードである場合、錠側制御部１１は、少なくともアドバタイズ信号の送信出力値（送信電力値）を第１出力値に設定している。また、鍵装置２の鍵側制御部２１は、電気錠制御装置１の錠側通信モードが変更される前の第１通信モードであれば、受信信号強度のしきい値をＲ１に設定している。
【００９３】
鍵装置２の鍵側制御部２１は、鍵側第１通信部２２がアドバタイズ信号を受信した場合に、アドバタイズ信号の受信信号強度がしきい値Ｒ１を超えると、電気錠制御装置１に接続する処理を行う。これにより、電気錠制御装置１と鍵装置２との距離が、受信信号強度がＲ１の時の距離Ｌ１を下回ると、鍵装置２は電気錠制御装置１に接続する処理を行う（図５Ａ参照）。
【００９４】
一方、電気錠制御装置１の錠側制御部１１が、錠側通信モードを第１通信モードから第２通信モードに変更すると、少なくともアドバタイズ信号の送信出力値（送信電力値）を第２出力値に設定する。また、鍵装置２の鍵側制御部２１は、電気錠制御装置１の錠側通信モードが変更されたことを示す変更情報を取得するか、他の鍵装置２から通知情報を受信すると、受信信号強度のしきい値をＲ１からＲ２に低下させる。
【００９５】
鍵装置２の鍵側制御部２１は、鍵側第１通信部２２がアドバタイズ信号を受信した場合に、アドバタイズ信号の受信信号強度がしきい値Ｒ２を超えると、電気錠制御装置１に接続する処理を行う。ここで、受信信号強度（ＲＳＳＩ）のしきい値Ｒ２は、アドバタイズ信号の送信出力値が第２出力値である場合に、電気錠制御装置１からの距離がＬ１のときの受信信号強度に相当する値に設定されている。したがって、電気錠制御装置１と鍵装置２との距離が、受信信号強度がＲ２の時の距離Ｌ１を下回ると、鍵装置２は電気錠制御装置１に接続する処理を行う（図５Ｂ参照）。
【００９６】
このように、鍵装置２の鍵側制御部２１は、受信信号強度のしきい値を錠側通信モードに応じて変更することで錠側通信モードの変更に応じて鍵側通信モードを変更している。よって、鍵装置２は、電気錠制御装置１の錠側通信モードが変更される前と変更された後とで同様の動作を行うことができ、使用性が向上する。
【００９７】
尚、電気錠制御装置１の錠側制御部１１は、錠側通信モードを第１通信モードから第２通信モードに変更する場合、少なくともアドバタイズ信号の送信出力値を低下させているが、アドバタイズ信号を含む全ての送信信号の送信出力値を低下させてもよい。
【００９８】
（４．４）変形例４
上記の実施形態では、電気錠制御装置１の錠側制御部１１は、電池１５の残量に応じて錠側通信モードを２つの通信モードのいずれかに設定しているが、電池１５の残量に応じて錠側通信モードを３つ以上の通信モードのいずれかに設定してもよい。
【００９９】
また、電気錠制御装置１の錠側制御部１１は、例えば通信環境（電磁波ノイズの影響度合いなど）に応じて錠側通信モードを変更してもよい。
【０１００】
（４．５）その他の変形例
以下、その他の変形例について列挙する。
【０１０１】
本開示における電気錠制御装置１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御装置１の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０２】
上述の実施形態では、錠側制御部１１が１つの回路で実現されているが、２つ以上の回路で実現されていてもよい。例えば、錠側制御部１１の機能が、２つ以上の回路に分散して設けられていてもよい。また、例えば、錠側制御部１１の機能が、１つのケースに収まる１つの装置に設けられていてもよいし、複数の装置に分散して設けられていてもよい。更に、錠側制御部１１の少なくとも一部の機能は、例えば、クラウド（クラウドコンピューティング）によって実現されていてもよい。
【０１０３】
上述の実施形態では、錠側制御部１１、錠側通信部１２、錠側記憶部１３、錠側操作部１４、及び電池１５が１つのケースに収納されているが、これに限定する趣旨ではない。例えば、錠側制御部１１、錠側通信部１２、錠側記憶部１３、錠側操作部１４、及び電池１５は、２つ以上のケースに分散して収納されていてもよい。
【０１０４】
また、本開示における鍵装置２の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における鍵装置２の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０５】
また、上述の実施形態において、鍵装置２を携帯するユーザ６が、電気錠制御システム１０の錠側操作部１４を操作すると、錠側制御部１１が電気錠３を解錠又は施錠してもよい。
【０１０６】
この場合、鍵装置２を携帯するユーザ６が電気錠制御装置１に近付くと、鍵装置２と電気錠制御装置１との間で通信が行われ、鍵側制御部２１は、鍵側第１通信部２２から電気錠制御装置１に鍵情報を送信させる。電気錠制御装置１では、錠側通信部１２が鍵装置２から送信された鍵情報を受信すると、錠側制御部１１が鍵情報を認証情報と照合することで鍵装置２の認証を行い、認証が成功すると、受信信号強度と所定の下限値との高低を比較する。そして、鍵装置２の認証が成功し、かつ、受信信号強度が所定の下限値以上である状態で、ユーザ６が錠側操作部１４の解錠用の押釦スイッチを操作すると、錠側操作部１４から錠側制御部１１に操作信号が出力されて、錠側制御部１１が電気錠３を解錠する。
【０１０７】
上述の実施形態では、電気錠制御装置１の錠側制御部１１が、錠側通信部１２での受信信号強度と所定の下限値との高低を比較しているが、錠側制御部１１が、鍵装置２の鍵側第１通信部２２での受信信号強度と下限値との高低を比較してもよい。この場合、鍵装置２の鍵側第１通信部２２が電気錠制御装置１からの受信信号強度を計測し、その計測結果を鍵側第１通信部２２が電気錠制御システム１に送信する。そして、電気錠制御装置１の錠側制御部１１が、鍵装置２の鍵側第１通信部２２での受信信号強度と下限値との高低を比較する。
【０１０８】
また、電気錠制御装置１の代わりに鍵装置２において、受信信号強度と下限値との高低を比較する処理を行ってもよい。この場合、鍵装置２は電気錠制御装置１に鍵情報を送信した後、鍵側第１通信部２２が電気錠制御装置１からの受信信号強度を計測する。そして、鍵側第１通信部２２での受信信号強度が下限値以上になると、鍵側制御部２１は、鍵側第１通信部２２から電気錠制御装置１に電気錠３の解錠又は施錠を要求する制御情報を送信させる。電気錠制御装置１では、鍵装置２の認証に成功した後に、錠側通信部１２が鍵装置２から電気錠３の解錠又は施錠を要求する制御情報を受信すると、錠側制御部１１が電気錠３を解錠又は施錠する制御を行う。これにより、鍵装置２の認証が成功し、かつ、鍵装置２において受信信号強度が下限値以上であると判定されると、電気錠制御装置１は電気錠３を解錠又は施錠する。尚、鍵装置２の鍵側制御部２１が、受信信号強度と下限値との高低を比較する場合に、電気錠制御装置１の錠側通信部１２での受信信号強度と下限値との高低を比較してもよい。この場合、鍵装置２の鍵側制御部２１では、鍵側第１通信部２２から電気錠制御装置１に錠側通信部１２での受信信号強度を要求する信号を送信させる。その後、錠側通信部１２が電気錠制御装置１から受信信号強度の計測値を受信すると、鍵側制御部２１が錠側通信部１２での受信信号強度と下限値との高低を比較すればよい。
【０１０９】
また、上述の実施形態では、鍵装置２は、例えばスマートフォンのような携帯端末であるが、他の構成であってもよい。例えば、鍵装置２は、コンピュータを電気錠制御システム１０の鍵として動作させるための鍵装置２用のプログラム（アプリケーション）を実行可能な携帯端末であれば、タブレット型のコンピュータ等であってもよい。
【０１１０】
上述の実施形態では、鍵装置２及び専用鍵４は、開閉部材５の解錠操作及び施錠操作の両方を行うことができるが、他の構成であってもよい。例えば、鍵装置２及び専用鍵４は、開閉部材５の解錠操作だけを行う構成であってもよい。すなわち、鍵装置２及び専用鍵４は、開閉部材５の施錠操作及び解錠操作のうち少なくとも解錠操作を行うように構成されていればよい。
【０１１１】
上述の実施形態では、開閉部材５は、建物８の内側と外側とを隔てる扉（開き戸又は引戸）又は窓であるが、建物８の一部の区画の内側と外側とを隔てる扉であってもよい。例えば、建物８が複数の住戸を有する集合住宅、複数の店舗を有するテナントビル、及び複数の事務所を有するオフィスビルであれば、個々の区画（住戸、店舗、事務所）の内側と外側とを隔てる扉が開閉部材５となる。
【０１１２】
上述の実施形態では、電気錠システム１００は戸建て住宅である建物８に適用されているが、例えば集合住宅の各住戸に適用されてもよい。また、電気錠システム１００は、集合住宅の共用部玄関に適用されてもよいし、事務所、店舗、工場等の非住宅用の建物８に適用されてもよい。
【０１１３】
（まとめ）
以上述べた実施形態から明らかなように、第１の態様の電気錠制御システム（１０）は、複数の鍵装置（２，２Ａ，２Ｂ）と、電気錠制御装置（１）と、を備える。複数の鍵装置（２，２Ａ，２Ｂ）は、第１の通信方式で無線通信を行う鍵側第１通信部（２２）、第２の通信方式で無線通信を行う鍵側第２通信部（２３）、及び、鍵側制御部（２１）をそれぞれを有する。鍵側制御部（２１）は、鍵側第１通信部（２２）と鍵側第２通信部（２３）とを制御する。電気錠制御装置（１）は、第１の通信方式で無線通信を行う錠側通信部（１２）、及び、錠側通信部（１２）が複数の鍵装置（２，２Ａ，２Ｂ）のいずれかから受信した情報に基づいて電気錠（３）を制御する錠側制御部（１１）、を有する。電気錠（３）は、建物（８）の開口部（８０）を開閉する開閉部材（５）を施錠又は解錠する。複数の鍵装置（２，２Ａ，２Ｂ）のうち、鍵側第１通信部（２２）が錠側通信部（１２）と通信して、錠側通信部（１２）が行う無線通信の錠側通信モードの変更情報を取得した鍵装置（２，２Ａ，２Ｂ）が通知元の鍵装置（２，２Ａ，２Ｂ）となる。複数の鍵装置（２，２Ａ，２Ｂ）のうち通知元の鍵装置（２，２Ａ，２Ｂ）以外の鍵装置（２，２Ａ，２Ｂ）が通知先の鍵装置（２，２Ａ，２Ｂ）となる。通知元の鍵装置（２，２Ａ，２Ｂ）の鍵側制御部（２１）が、鍵側第２通信部（２３）から通知先の鍵装置（２，２Ａ，２Ｂ）に錠側通信モードの変更を通知するための通知情報を鍵側第２通信部（２３）から送信させる。
【０１１４】
これにより、複数の鍵装置（２，２Ａ，２Ｂ）で、錠側通信モードが変更されたという情報を共有できる。通知先の鍵装置（２，２Ａ，２Ｂ）は、電気錠制御装置（１）と通信する前に、錠側通信モードが変更されたという情報を取得できる。
【０１１５】
第２の態様の電気錠制御システム（１０）では、第１の態様において、通知元の鍵装置（２，２Ａ，２Ｂ）の鍵側制御部（２１）は、変更情報を取得すると、錠側通信モードの変更に応じて鍵側第１通信部（２２）が行う無線通信の鍵側通信モードを変更する。
【０１１６】
これにより、通知元の鍵装置（２，２Ａ，２Ｂ）では、錠側通信モードの変更に応じて鍵側通信モードを自動的に変更することができる。
【０１１７】
第３の態様の電気錠制御システム（１０）では、第１又は第２の態様において、通知元の鍵装置（２，２Ａ，２Ｂ）の鍵側制御部（２１）は、変更情報を取得すると、変更要求情報を鍵側第２通信部（２３）から通知先の鍵装置（２，２Ａ，２Ｂ）に送信させる。変更要求情報は、通知先の鍵装置（２，２Ａ，２Ｂ）において鍵側第１通信部（２２）が行う無線通信の鍵側通信モードを錠側通信モードに応じて変更させるための情報である。
【０１１８】
これにより、通知先の鍵装置（２，２Ａ，２Ｂ）では、錠側通信モードの変更に応じて鍵側通信モードを自動的に変更することができる。
【０１１９】
第４の態様の電気錠制御システム（１０）は、第１〜第３のいずれかの態様において、以下のように構成される。複数の鍵装置（２，２Ａ，２Ｂ）のうち専用鍵（４）と通信可能な鍵装置の鍵側制御部（２１）は、電気錠制御装置（１）で錠側通信モードが変更された場合、錠側通信モードの変更を通知するための情報を鍵側第１通信部（２２）から専用鍵（４）に送信させる。専用鍵（４）は、第１の通信方式で無線通信を行う通信部（４２）を備える。
【０１２０】
これにより、専用鍵（４）においても、錠側通信モードが変更されたという情報を共有できる。
【０１２１】
第５の態様の電気錠制御システム（１０）は、第１〜第４のいずれかの態様において、以下の構成を更に備える。通知元の鍵装置（２，２Ａ，２Ｂ）の鍵側制御部（２１）は、鍵側第１通信部（２２）が錠側通信部（１２）と通信したときに錠側通信モードが変更されたと判断すると、鍵側第２通信部（２３）から通知先の鍵装置（２，２Ａ，２Ｂ）に通知情報を送信させる。
【０１２２】
これにより、通知元の鍵装置（２，２Ａ，２Ｂ）の鍵側制御部（２１）が、錠側通信モードが変更されたか否かを判断して、通知情報を送信するか否かを決定できる。
【０１２３】
第６の態様の電気錠制御システム（１０）では、第１〜第５のいずれかの態様において、電気錠制御装置（１）の電源が電池（１５）である。錠側制御部（１１）は、電池（１５）の残量に基づいて錠側通信モードを変更するか否かを判断する。
【０１２４】
これにより、電池（１５）の残量に応じて錠側通信モードを変更することができる。例えば、電池（１５）の残量が低下した場合に、消費電力を低減できるような錠側通信モードに変更できる。
【０１２５】
第７の態様の電気錠制御システム（１０）では、第１〜第６のいずれかの態様において、錠側通信モードの変更とは、錠側通信部（１２）が送信するアドバタイズ信号の送信周期を変更することである。
【０１２６】
これにより、単位時間当たりのアドバタイズ信号の送信回数が変更されるので、電気錠制御装置（１）での消費電力を変更できる。
【０１２７】
第８の態様の電気錠制御システム（１０）では、第７の態様において、鍵側第１通信部（２２）は、無線信号を受信する受信処理を間欠的に行っている。鍵側制御部（２１）は、錠側通信モードの変更に応じて、鍵側第１通信部（２２）が受信処理を行う受信期間を変更する。
【０１２８】
これにより、アドバタイズ信号の送信周期に合わせて受信期間を変更できる。
【０１２９】
第９の態様の電気錠制御システム（１０）では、第１〜第８のいずれかの態様において、錠側通信モードの変更とは、少なくともアドバタイズ信号の送信出力を変更前に比べて低下させることである。
【０１３０】
これにより、電気錠制御装置（１）での消費電力を低減できる。
【０１３１】
第１０の態様の電気錠制御システム（１０）では、第９の態様において、鍵側制御部（２１）は、鍵側第１通信部（２２）が受信したアドバタイズ信号の受信信号強度が所定のしきい値を超えると、錠側通信部（１２）との通信を開始する。鍵側制御部（２１）は、錠側通信モードの変更に応じて、しきい値を変更前よりも低い値に変更する。
【０１３２】
これにより、アドバタイズ信号の送信出力が低下した場合でも、鍵側制御部（２１）は、鍵側第１通信部（２２）がアドバタイズ信号を受信したときに、錠側通信部（１２）との通信を開始することができる。
【０１３３】
第１１の態様の電気錠制御システム（１０）では、第１〜第１０のいずれかの態様において、通知元の鍵装置（２，２Ａ，２Ｂ）の鍵側第２通信部（２３）は、公衆網（６０）を介して通知先の鍵装置（２，２Ａ，２Ｂ）に通知情報を送信する。
【０１３４】
これにより、公衆網（６０）を介して接続される通知先の鍵装置（２，２Ａ，２Ｂ）に通知情報を送信することができる。
【０１３５】
第１２の態様の電気錠システム（１００）では、第１〜第１１のいずれかの態様の電気錠制御システム（１０）と、電気錠制御装置（１）によって制御される電気錠（３）と、を備える。
【０１３６】
これにより、複数の鍵装置（２，２Ａ，２Ｂ）で、錠側通信モードが変更されたという情報を共有できる。通知先の鍵装置（２，２Ａ，２Ｂ）は、電気錠制御装置（１）と通信する前に、錠側通信モードが変更されたという情報を取得できる。
【０１３７】
第１３の態様のプログラムは、コンピュータシステムを、第１〜第１１のいずれかの態様の電気錠制御システム（１０）が備える複数の鍵装置（２，２Ａ，２Ｂ）の１つとして動作させるためのプログラムである。第１３の態様のプログラムは、コンピュータシステムに取得処理と送信処理とを実行させるためのプログラムである。取得処理では、電気錠制御装置（１）と通信して、錠側通信モードの変更情報を取得する。送信処理では、通知先の鍵装置（２，２Ａ，２Ｂ）に錠側通信モードの変更を通知するための通知情報を送信する。
【０１３８】
これにより、複数の鍵装置（２，２Ａ，２Ｂ）で、錠側通信モードが変更されたという情報を共有できる。通知先の鍵装置（２，２Ａ，２Ｂ）は、電気錠制御装置（１）と通信する前に、錠側通信モードが変更されたという情報を取得できる。
【０１３９】
尚、第２〜第１１の態様は電気錠制御システム（１０）に必須の構成ではなく、適宜省略が可能である。
【符号の説明】
【０１４０】
１  電気錠制御装置
２，２Ａ，２Ｂ  鍵装置
３  電気錠
４  専用鍵
５  開閉部材
８  建物
１０  電気錠制御システム
１１  錠側制御部
１２  錠側通信部
１５  電池
２１  鍵側制御部
２２  鍵側第１通信部
２３  鍵側第２通信部
６０  公衆網
８０  開口部
１００  電気錠システム
【図１】
2019031834.tif 000003
【図２】
2019031834.tif 000004
【図３】
2019031834.tif 000005
【図４】
2019031834.tif 000006
【図５】
2019031834.tif 000007